(57)【要約】【課題】基地局と携帯端末とのトラフィック量を軽減し、かつ、適切な端末に情報を配信することができる携帯端末及び情報配信システムを提供する。【解決手段】携帯端末３は、基地局２と無線通信を行い、基地局２を介してサーバ１から配信情報を受信する第１通信部３２１と、当該受信した配信情報を中継側記憶部３１に記憶させる記憶制御部３３２と、１以上の受信端末４と直接無線通信を行う第２通信部３２２と、配信情報を配信するか否かを判定する判定部３３３と、判定部３３３により配信情報を配信すると判定された場合、第２通信部３２２に配信情報を送信させることにより、１以上の受信端末４に配信情報を配信する配信部３３４と、を備える。【選択図】図２
2014103569.tif 000002
【特許請求の範囲】
【請求項１】
基地局と無線通信を行い、前記基地局を介して所定のサーバから配信情報を受信する第１通信部と、
当該受信した配信情報を記憶部に記憶させる記憶制御部と、
１以上の受信端末と直接無線通信を行う第２通信部と、
前記配信情報を配信するか否かを判定する判定部と、
前記判定部により前記配信情報を配信すると判定された場合、前記第２通信部に前記配信情報を送信させることにより、前記１以上の受信端末に前記配信情報を配信する配信部と、
を備える携帯端末。
【請求項２】
前記第１通信部は、前記基地局を介して前記配信情報の配信条件を示す配信指示情報を受信し、
前記判定部は、前記受信した配信指示情報の配信条件を満たしている場合に、前記配信情報を配信すると判定する、
請求項１に記載の携帯端末。
【請求項３】
前記記憶制御部は、前記配信条件を満たさなくなった場合に、前記配信情報を前記記憶部から消去させる、
請求項２に記載の携帯端末。
【請求項４】
前記第２通信部は、前記受信端末から当該受信端末のユーザの属性情報を受信し、
前記配信部は、前記受信した属性情報に基づいて前記受信端末の中から前記配信情報の配信対象となる端末を選択し、当該選択した端末に前記配信情報を配信する、
請求項２又は３に記載の携帯端末。
【請求項５】
基地局と無線通信可能でかつ情報を配信可能な携帯端末と、当該携帯端末から直接無線で前記情報を受信可能な１以上の受信端末と、前記情報を前記携帯端末に提供するサーバとを備える情報配信システムであって、
前記サーバは、
前記基地局と通信を行い、当該基地局を介して配信情報を前記携帯端末に送信するサーバ側通信部を有し、
前記携帯端末は、
前記基地局と無線通信を行い、前記基地局を介して前記サーバから配信情報を受信する第１通信部と、
当該受信した配信情報を記憶部に記憶させる記憶制御部と、
前記１以上の受信端末と直接無線通信を行う第２通信部と、
前記配信情報を配信するか否かを判定する判定部と、
前記判定部により前記配信情報を配信すると判定された場合、前記第２通信部に前記配信情報を送信させることにより、前記１以上の受信端末に前記配信情報を配信する配信部と、を有し、
前記受信端末は、
前記携帯端末から直接無線で前記配信情報を受信する受信部と、
当該受信した配信情報を前記受信端末のユーザに通知する通知部と、を有する、
情報配信システム。
【請求項６】
前記サーバは、
前記配信情報の属性と前記携帯端末の属性とに基づいて、前記配信情報を送信する前記携帯端末を選択する選択部をさらに有し、
前記サーバ側通信部は、当該選択された前記携帯端末に前記配信情報を送信する、
請求項５に記載の情報配信システム。
【請求項７】
前記サーバは、
前記配信情報を配信する前記携帯端末の位置及び前記配信情報の属性の少なくとも１つに基づいて、前記配信情報を配信する費用を算出する費用算出部をさらに有する、
請求項５又は６に記載の情報配信システム。
【発明の詳細な説明】
【技術分野】
【０００１】
本発明は、配信情報を配信する携帯端末及び情報配信システムに関する。
【背景技術】
【０００２】
従来、特定のエリアに位置する携帯端末に対し、選択的に情報を配信することが知られている。例えば、特許文献１では、広告を配信する配信用サーバが、広告配信エリア内の広告の配信を許可している携帯端末に対して広告を配信する広告配信方法が提案されている。特許文献２では、店舗に固定して設置されている店舗設置端末に広告情報を記憶させておき、当該店舗設置端末が発する電波が届く範囲の顧客の携帯端末に当該広告情報を配信する広告配信システムが提案されている。
【先行技術文献】
【特許文献】
【０００３】
【特許文献１】特開２００１−３５９１６６号公報
【特許文献２】特開２００３−５８７７０号公報
【発明の概要】
【発明が解決しようとする課題】
【０００４】
特許文献１に記載された広告配信方法によって情報を配信する場合、配信用サーバは、広告の配信を許可している携帯端末の位置を把握し、携帯端末に電波が届く基地局を介して広告を配信する。したがって、配信用サーバは、広告を配信する前に携帯端末の位置情報を取得しなければならなかった。
【０００５】
配信用サーバが携帯端末の位置情報を取得するためには、配信用サーバは携帯電話網の基地局に、広告を配信する対象となる携帯端末の位置情報を取得するよう要求し、基地局がそれぞれの携帯端末の位置情報を収集して配信用サーバに通知しなければならない。したがって、携帯端末の位置情報を取得するために、基地局と携帯端末との間の無線通信回線のトラフィック量が増加してしまうという問題があった。また、広告の配信時にも、基地局と多数の携帯端末との間の無線通信回線のトラフィック量が増加してしまうという問題が発生していた。
【０００６】
このように、大量の広告を配信すると無線通信回線のトラフィック量が大量に増加するので、頻繁に広告を配信すると、無線通信回線の輻輳を引き起こすおそれがあった。特に、画像や映像等を含む大容量の広告を配信することは、困難であった。
【０００７】
さらに、広告を配信する携帯端末は、配信用サーバが取得した位置情報に基づいて選択されていたので、配信用サーバが位置情報を取得してから広告を配信するまでの間に携帯端末が移動すると、本来配信すべきでない携帯端末に広告が配信される場合もあった。逆に、広告を配信するべき位置にいる携帯端末に広告が配信されない場合もあった。したがって、無線通信回線のトラフィック量を増加させるにもかかわらず、十分な広告宣伝効果を得られないという問題も生じていた。
【０００８】
特許文献２に記載された広告配信システムにおいては、店舗設置端末が店舗に固定して設置されているため、常に同一の範囲にしか広告を配信することができなかった。したがって、広告の内容や広告を配信する日時によって最適な範囲に広告を配信できないという問題も生じていた。
【０００９】
本発明は、基地局と携帯端末との間の無線通信回線のトラフィック量を軽減し、かつ、適切な端末に情報を配信することができる携帯端末及び情報配信システムを提供することを目的とする。
【課題を解決するための手段】
【００１０】
本発明に係る携帯端末は、基地局と無線通信を行い、前記基地局を介して所定のサーバから配信情報を受信する第１通信部と、当該受信した配信情報を記憶部に記憶させる記憶制御部と、１以上の受信端末と直接無線通信を行う第２通信部と、前記配信情報を配信するか否かを判定する判定部と、前記判定部により前記配信情報を配信すると判定された場合、前記第２通信部に前記配信情報を送信させることにより、前記１以上の受信端末に前記配信情報を配信する配信部と、を備えることを特徴とする。
【００１１】
また、本発明に係る携帯端末では、前記第１通信部は、前記基地局を介して前記配信情報の配信条件を示す配信指示情報を受信し、前記判定部は、前記受信した配信指示情報の配信条件を満たしている場合に、前記配信情報を配信すると判定してもよい。
【００１２】
また、本発明に係る携帯端末では、前記記憶制御部は、前記配信条件を満たさなくなった場合に、前記配信情報を前記記憶部から消去させてもよい。
【００１３】
また、本発明に係る携帯端末では、前記第２通信部は、前記受信端末から当該受信端末のユーザの属性情報を受信し、前記配信部は、前記受信した属性情報に基づいて前記受信端末の中から前記配信情報の配信対象となる端末を選択し、当該選択した端末に前記配信情報を配信してもよい。
【００１４】
本発明に係る情報配信システムは、基地局と無線通信可能でかつ情報を配信可能な携帯端末と、当該携帯端末から直接無線で前記情報を受信可能な１以上の受信端末と、前記情報を前記携帯端末に提供するサーバとを備える情報配信システムであって、前記サーバは、前記基地局と通信を行い、当該基地局を介して配信情報を前記携帯端末に送信するサーバ側通信部を有し、前記携帯端末は、前記基地局と無線通信を行い、前記基地局を介して前記サーバから配信情報を受信する第１通信部と、当該受信した配信情報を記憶部に記憶させる記憶制御部と、前記１以上の受信端末と直接無線通信を行う第２通信部と、前記配信情報を配信するか否かを判定する判定部と、前記判定部により前記配信情報を配信すると判定された場合、前記第２通信部に前記配信情報を送信させることにより、前記１以上の受信端末に前記配信情報を配信する配信部と、を有し、前記受信端末は、前記携帯端末から直接無線で前記配信情報を受信する受信部と、当該受信した配信情報を前記受信端末のユーザに通知する通知部と、を有することを特徴とする。
【００１５】
また、本発明に係る情報配信システムでは、前記サーバは、前記配信情報の属性と前記携帯端末の属性とに基づいて、前記配信情報を配信する前記携帯端末を選択する選択部をさらに有し、前記サーバ側通信部は、当該選択された前記携帯端末に前記配信情報を送信してもよい。
【００１６】
また、本発明に係る情報配信システムでは、前記サーバは、前記配信情報を配信する前記携帯端末の位置及び前記配信情報の属性の少なくとも１つに基づいて、前記配信情報を配信する費用を算出する費用算出部をさらに有してもよい。
【発明の効果】
【００１７】
本発明によれば、基地局と携帯端末との間の無線通信回線のトラフィック量を軽減し、かつ、適切な端末に情報を配信することができる。
【図面の簡単な説明】
【００１８】
【図１】第１の実施形態に係る情報配信システムの概要図である。
【図２】第１の実施形態に係る情報配信システムの機能構成図である。
【図３】第１の実施形態に係る情報配信システムにおいて、受信端末に配信情報が送信されるまでの通信シーケンスの一例を示す図である。
【図４Ａ】図３に続く通信シーケンスを示す図である。
【図４Ｂ】図３に続く通信シーケンスの他の例を示す図である。
【図５】第２の実施形態に係る情報配信システムの概要図である。
【図６】第２の実施形態に係る２台の携帯端末の機能構成図である。
【発明を実施するための形態】
【００１９】
以下、本発明の実施形態について説明する。
＜第１の実施形態＞
［情報配信システムＳの概要］
図１は、第１の実施形態に係る情報配信システムＳの概要図である。
情報配信システムＳは、サーバ１と、基地局２と、携帯端末３と、複数の受信端末４とを備える。
【００２０】
情報配信システムＳでは、サーバ１は、インターネット等の通信ネットワークＮを介して基地局２と通信可能に接続されている。携帯端末３は、無線通信回線Ｗ１を介して基地局２と無線通信可能な携帯電話機であり、基地局２及び通信ネットワークＮを介してサーバ１と通信を行う。携帯端末３は、例えば、受信端末４に配信する広告等の配信情報をサーバ１から受けて受信端末４に配信する。受信端末４は、無線通信回線Ｗ１を介して基地局２と無線通信可能な携帯電話機である。また、受信端末４は、携帯端末３から所定範囲内に位置している場合、無線通信回線Ｗ２により、基地局２を介することなく携帯端末３と直接無線通信可能である。
【００２１】
図１に示す情報配信システムＳは、携帯端末３として携帯端末３Ａ及び３Ｂを有する。また、図１に示す情報配信システムＳは、受信端末４として、携帯端末３Ａと直接無線通信可能な受信端末４Ａ−１及び４Ａ−２と、携帯端末３Ｂと直接無線通信可能な受信端末４Ｂ−１及び４Ｂ−２とを有する。無線通信回線Ｗ１は、例えばＣＤＭＡ（Code Division Multiple Access）２０００方式、Ｗ−ＣＤＭＡ方式、ＬＴＥ（Long Term Evolution）方式、ＬＴＥ−Ａ（LTE-Advanced）方式又はＷｉＭＡＸ（Worldwide Interoperability for Microwave Access）方式を用いた、基地局２を使用する無線通信回線である。無線通信回線Ｗ２は、例えばＷｉ−Ｆｉ、ＩＤＭＡ（Interleave-Division Multiple Access）方式又はＬＴＥ帯域の無線リソースの一部を利用して端末間通信（Ｄ２Ｄ）を実現する方式（以下の参考文献を参照）を用いた、基地局２を使用しない無線通信回線である。
［参考文献］
Tsolkas, Dimitris; Liotou, Eirini; Passas, Nikos; Merakos, Lazaros;"A graph-coloring secondary resource allocation for D2D communications in LTE networks," 2012 IEEE 17th International Workshop on Computer Aided Modeling and Design of Communication Links and Networks (CAMAD), pp.56-60, 17-19 Sept. 2012
【００２２】
この情報配信システムＳでは、複数の携帯端末３Ａ及び３Ｂのそれぞれが、複数の受信端末４Ａ−１、４Ａ−２、４Ｂ−１及び４Ｂ−２から受信した属性情報に基づいて、どのようなユーザに配信情報を配信できるかを示す属性情報リストを作成し、当該属性情報リストをサーバ１に送信する。
【００２３】
続いて、サーバ１は、広告主から受信した配信情報を送信する携帯端末３を、それぞれの携帯端末３から受信した属性情報リストと所定の条件とに基づいて選択する。ここで、携帯端末３Ａが選択される場合、サーバ１は、携帯端末３Ａに配信情報を送信する。サーバ１から配信情報を受信した携帯端末３Ａは、配信情報を一時的に記憶し、後述する所定の配信条件を満たす場合に、当該記憶した情報を、１以上の受信端末４に対して基地局２を介さずに直接無線で配信する。
【００２４】
続いて、情報配信システムＳを構成するサーバ１、携帯端末３及び受信端末４について詳細な説明を行う。図２は、第１の実施形態に係る情報配信システムＳの機能構成図である。
【００２５】
［サーバ１の構成例］
最初に、サーバ１について説明を行う。サーバ１は、サーバ側記憶部１１と、サーバ側通信部１２と、サーバ側制御部１３とを備える。
【００２６】
サーバ側記憶部１１は、例えば、ＲＯＭ、ＲＡＭ及びハードディスク等により構成される。サーバ側記憶部１１は、サーバ１を機能させるための各種プログラムを記憶する。サーバ側記憶部１１は、配信情報と、この配信情報の属性情報と、この配信情報を受信端末４に配信するための配信条件を示す配信指示情報とを関連付けて記憶する。
【００２７】
配信情報は、例えば広告情報である。配信情報及び配信指示情報は、サーバ１が広告主の端末（不図示）から受信し、サーバ側記憶部１１に予め記憶されているものとする。広告主の端末とは、例えば、広告情報の配信を希望する会社や人が所有するコンピュータである。広告主の端末は、通信ネットワークＮを介してサーバ１に広告情報を送信する。
配信情報の属性情報は、配信情報の配信対象となるユーザの属性を示す情報、例えば、性別及び年齢である。この配信情報の属性情報は、配信情報が属する分類を示す情報、例えば、スポーツ用品、衣料品、食品といった情報であってもよい。配信情報の属性情報は、配信情報を配信する目的を示す情報であってもよい。例えば、配信情報が女性向け衣料品のタイムセールに関する広告情報である場合、配信情報の属性情報は、「女性」、「衣料品」及び「タイムセール」である。
【００２８】
配信条件は、配信情報を携帯端末３から受信端末４に配信する時間帯、配信期限、配信場所、及び配信間隔等の組み合わせにより定められる条件である。この配信条件は、例えば、配信情報の属性情報に基づいて設定される。例えば、配信情報の属性情報が「女性」、「衣料品」及び「タイムセール」である場合、配信条件には、「タイムセールが行われる予定時刻の前に衣料品売場から所定の範囲内の受信端末４に配信する」という条件が含まれる。
【００２９】
サーバ側通信部１２は、基地局２を介して携帯端末３と通信を行う。具体的には、サーバ側通信部１２は、サーバ側制御部１３の制御により、サーバ側記憶部１１に記憶されている配信情報及び配信指示情報を、基地局２を介して携帯端末３に送信する。
【００３０】
サーバ側制御部１３は、例えば、ＣＰＵにより構成される。サーバ側制御部１３は、サーバ側記憶部１１に記憶されている各種プログラムを実行することにより、サーバ１に係る機能を統括的に制御する。サーバ側制御部１３は、選択部１３１と、費用算出部１３２と、手数料付与部１３３とを備える。
【００３１】
選択部１３１は、携帯端末３から、携帯端末３の属性を示す属性情報リストを受信する。属性情報リストは、複数の携帯端末３Ａ及び３Ｂのそれぞれが直接無線通信可能な１以上の受信端末４のユーザの属性情報（以下、ユーザ属性情報という）を含むリストである。ユーザ属性情報は、例えば、受信端末４のユーザの性別、年齢、趣味といった受信端末４のユーザの属性を示す情報である。ユーザ属性情報は、ユーザの趣味や嗜好を示す情報、及びユーザが興味を抱いている情報を含んでもよい。ユーザ属性情報は、ユーザが受け取りたい広告のジャンルのような、配信情報の属性を示す情報を含んでもよい。選択部１３１は、携帯端末３のユーザ属性情報を含む属性情報リストを受信してもよい。
【００３２】
選択部１３１は、配信情報を送信する条件（以下、送信条件という）を満たす場合に、携帯端末３から受信した属性情報リストに含まれる属性情報と、サーバ側記憶部１１に記憶されている配信情報の属性情報とに基づいて、サーバ側記憶部１１に記憶されている配信情報を送信する携帯端末３を選択する。具体的には、選択部１３１は、属性情報リストに含まれる受信端末４のユーザ属性情報と、配信情報の属性情報との関連性が所定の度合よりも強い場合に、当該属性情報リストを送信した携帯端末３を選択する。例えば、選択部１３１は、配信情報が属する分類が「スポーツ」である場合に、属性情報リストが、所定割合以上の受信端末４のユーザが「スポーツ」に興味があることを示しているときには、当該属性情報リストを送信した携帯端末３を選択する。
【００３３】
ここで、送信条件とは、例えば、「配信条件に含まれる配信時間の１０分前」のように、配信条件に基づいて定められる、配信情報を携帯端末３に送信するタイミングを規定する条件である。選択部１３１は、サーバ側通信部１２を制御して、選択した携帯端末３に対して配信情報を送信する。選択部１３１は、携帯端末３に対して複数の配信情報を送信してもよい。
【００３４】
なお、選択部１３１は、携帯端末３から受信した属性情報リストに含まれる属性情報と、サーバ側記憶部１１に記憶されている配信情報の属性情報とに基づいて配信情報を配信する携帯端末３を選択したが、選択部１３１が選択する対象は携帯端末３に限らない。選択部１３１は、携帯端末３から受信した属性情報リストに含まれる属性情報と、サーバ側記憶部１１に記憶されている配信情報の属性情報とに基づいて、当該携帯端末３に配信する配信情報を選択してもよい。例えば、選択部１３１は、携帯端末３から当該携帯端末３の位置情報を受信し、当該位置情報に対応する場所に配信することを配信条件に含む配信情報を、当該携帯端末３に配信する配信情報として選択してもよい。
【００３５】
費用算出部１３２は、サーバ側通信部１２が、携帯端末３から、配信情報の配信実績を示す配信実績情報と携帯端末３の識別情報とを受信したことに応じて、情報配信費用を算出する。具体的には、費用算出部１３２は、配信された配信情報の数量と、この配信情報の１回あたりの配信料金とを乗算することにより情報配信費用を算出する。ここで、費用算出部１３２は、配信された配信情報の数量と配信料金との他に、配信情報を配信する携帯端末３の位置及び配信情報の属性の少なくとも１つに基づいて、情報配信費用を算出してもよい。この場合において、携帯端末３から受信する配信実績情報には、配信情報を配信した場所及び配信情報の属性が含まれていてもよい。費用算出部１３２は、広告主の端末に対して、算出した費用の内訳を送信してもよい。
【００３６】
費用算出部１３２は、配信情報を配信する前に、情報配信費用の見積額を算出してもよい。具体的には、費用算出部１３２は、広告主から取得した配信情報の属性情報と、携帯端末３から受信した属性情報リストと、配信指示情報に含まれる配信条件とに基づいて、複数の携帯端末３のそれぞれが当該配信情報を配信できる受信端末４の数及び受信端末４のユーザ属性情報等を集計する。費用算出部１３２は、少なくとも集計した受信端末４の数に基づいて、情報配信費用の見積額を算出することができる。費用算出部１３２は、広告主の端末に対して、算出した見積額を送信してもよい。
【００３７】
手数料付与部１３３は、携帯端末３のユーザに対して情報配信手数料の支払処理を行う。支払処理は、例えば、以下のように行われる。まず、手数料付与部１３３は、携帯端末３の識別情報と、携帯端末３のユーザの口座情報とを関連付けて口座情報としてサーバ側記憶部１１に予め記憶させておく。そして、費用算出部１３２が携帯端末３から配信実績情報と携帯端末３の識別情報とを受信し、情報配信費用を算出したことに応じて、手数料付与部１３３が、当該情報配信費用に応じた情報配信手数料を算出して、口座情報及び携帯端末３の識別情報に基づいて支払処理を行う。なお、手数料付与部１３３は、情報配信手数料の代わりにポイント又はクーポンを携帯端末３のユーザに付与してもよい。
【００３８】
［携帯端末３の構成例］
続いて、携帯端末３について説明を行う。携帯端末３は、配信情報を配信可能な携帯端末である。携帯端末３は、中継側記憶部３１と、中継側通信部３２と、中継側制御部３３とを備える。
【００３９】
中継側記憶部３１は、ＲＯＭ、ＲＡＭ、ハードディスク、及び携帯端末３に接続された外部記憶装置等により構成される。ここで、外部記憶装置は、携帯端末３に直接接続されていてもよいし、通信ネットワーク（不図示）を介して通信可能に接続されていてもよい。
【００４０】
中継側記憶部３１は、配信情報、配信指示情報、配信実績情報、携帯端末３と通信可能な受信端末４のユーザ属性情報、及び携帯端末３のユーザ属性情報を記憶する。ここで、受信端末４のユーザ属性情報は、無線通信回線Ｗ２を介して受信端末４から受信され、携帯端末３のユーザ属性情報は、入力部（不図示）を介してユーザから入力される。なお、ユーザ属性情報は、例えば、インターネット等の通信ネットワークを介して接続される外部サーバへのアクセス履歴、商品の購買履歴、及び携帯端末３の移動履歴等に基づいて、中継側制御部３３又はサーバ側制御部１３によって決定されてもよい。
【００４１】
中継側通信部３２は、第１通信部３２１と第２通信部３２２とを備える。
第１通信部３２１は、例えば、ＣＤＭＡ２０００方式、Ｗ−ＣＤＭＡ方式又はＬＴＥ方式により基地局２と無線通信を行う。
第２通信部３２２は、例えば、Ｗｉ−Ｆｉ又はＩＤＭＡ方式により、基地局を介さずに１以上の受信端末４と直接無線通信を行う。
【００４２】
中継側制御部３３は、サーバ側制御部１３と同様に、ＣＰＵにより構成される。中継側制御部３３は、中継側記憶部３１に記憶されている、携帯端末３を機能させるための各種プログラムを実行することにより、携帯端末３に係る機能を統括的に制御する。この中継側制御部３３は、通信制御部３３１と、記憶制御部３３２と、判定部３３３と、配信部３３４とを備える。
【００４３】
通信制御部３３１は、基地局２を介して、第１通信部３２１にサーバ１との間で情報を送受信させるとともに、第２通信部３２２に複数の受信端末４との間で情報を送受信させる。具体的には、通信制御部３３１は、第２通信部３２２を制御して、１以上の受信端末４にユーザ属性情報を要求し、当該ユーザ属性情報を受信させる。通信制御部３３１は、例えばユーザ属性情報を要求するメッセージを第２通信部３２２に同報送信させることにより、第２通信部３２２が送信する電波が届く範囲内の受信端末４のユーザ属性情報を受信させる。
【００４４】
また、通信制御部３３１は、第１通信部３２１を制御して、受信端末４のユーザ属性情報を集約した属性情報リストを、サーバ１に送信する。また、通信制御部３３１は、第１通信部３２１を制御して、サーバ１から送信された配信情報及び配信指示情報を受信する。さらに、通信制御部３３１は、第２通信部３２２を制御して、配信情報を受信端末４に配信する。
【００４５】
記憶制御部３３２は、サーバ１から受信した配信情報及び配信指示情報を、中継側記憶部３１に記憶させる。また、記憶制御部３３２は、複数の受信端末４のユーザ属性情報を、複数の受信端末４のそれぞれに対応づけて中継側記憶部３１に記憶させる。なお、記憶制御部３３２は、携帯端末３のユーザ属性情報を中継側記憶部３１に記憶させてもよい。
【００４６】
判定部３３３は、配信情報を受信端末４に配信するか否かを判定する。すなわち、判定部３３３は、サーバ１から受信し、中継側記憶部３１に記憶されている配信指示情報を所定のタイミングで参照し、当該配信指示情報が示している配信条件を満たしているか否かを判定する。判定部３３３は、配信条件を満たしている場合に、配信情報を配信すると判定する。また、判定部３３３は、配信条件を満たしていない場合に、配信情報を配信しないと判定する。
【００４７】
例えば、配信情報の配信条件が、携帯端末３が所定の時間帯（例えば、１０時〜１２時）に、所定の場所（例えば、場所Ａ）に位置していることであるとする。この場合において、判定部３３３は、現在時刻が１１時であり、携帯端末３が場所Ａに位置しているとき、配信条件を満たしていると判定する。
【００４８】
配信部３３４は、判定部３３３が配信情報を配信すると判定した場合、通信制御部３３１に配信情報を送信するべく指示することで、１以上の受信端末４に配信情報を配信する。配信部３３４は、受信端末４から受信した属性情報に基づいて、配信情報を配信する。具体的には、配信部３３４は、受信端末４のユーザ属性情報と配信情報の属性情報とを比較することにより、複数の受信端末４の中から配信情報の配信対象となる端末を選択する。
【００４９】
より具体的には、配信部３３４は、受信端末４から受信したユーザ属性情報と、携帯端末３の中継側記憶部３１に記憶されている配信情報の属性情報とのマッチングを行い、一致度又は類似度を算出する。例えば、配信部３３４は、それぞれの受信端末４から受信した複数のユーザ属性情報のうち、配信情報の属性情報に一致したユーザ属性情報の数に基づいて一致度又は類似度を算出する。配信部３３４は、複数の受信端末４のうち、算出した一致度又は類似度が所定値以上の属性情報を送信した端末を選択する。配信部３３４は、選択した端末に、中継側記憶部３１に記憶されている配信情報を配信する。
【００５０】
配信部３３４は、配信情報を配信したことに応じて、配信実績情報を作成する。例えば、配信部３３４は、当該配信情報の識別情報と、配信情報を受信した受信端末４の識別情報と、携帯端末３の識別情報とを関連付けて配信実績情報として中継側記憶部３１に記憶させる。配信部３３４は、通信制御部３３１に配信実績情報を送信させることを指示することで、配信実績情報をサーバ１に送信する。なお、配信部３３４は、配信実績情報を定期的にサーバ１に送信してもよい。
【００５１】
配信部３３４は、受信端末４に対して一度送信した配信情報を再び配信しないように制御する。具体的には、配信部３３４は、第２通信部３２２により、受信端末４に対してユーザ属性情報を要求する場合に、当該受信端末４の識別情報も要求し、当該受信端末４の識別情報を受信する。続いて、配信部３３４は、受信端末４に配信情報を配信する前に配信実績情報を参照し、当該配信情報が当該受信端末４に対して既に送信されているか否かを判定する。そして、配信部３３４は、配信情報を既に送信していない受信端末４を、配信情報を配信する受信端末４として選択する。
【００５２】
なお、配信情報は、配信指示情報が示す配信条件が満たされなくなった場合に消去されるようにしてもよい。すなわち、記憶制御部３３２は、配信指示情報が示す配信条件を満たさなくなった場合に、当該配信指示情報に関連する配信情報を中継側記憶部３１から消去させる。
【００５３】
例えば、所定の場所に携帯端末３が存在することが配信条件である場合、記憶制御部３３２は、定期的にＧＰＳ機能又は複数の基地局から受信する電波の強度等により携帯端末３の位置を特定する。そして、記憶制御部３３２は、携帯端末３が所定の場所に存在する状態から所定の場所に存在しない状態に変化した場合、配信条件を満たさなくなったと判定し、中継側記憶部３１から配信情報を消去させる。この場合において、記憶制御部３３２は、中継側記憶部３１から配信指示情報も消去させる。
【００５４】
なお、記憶制御部３３２は、携帯端末３が存在する場所に関する配信条件を満たさなくなった場合に、配信情報を中継側記憶部３１から消去させるものとしたが、配信情報を消去させる条件はこれに限らない。例えば、記憶制御部３３２は、配信条件として定められた配信期限を超過する等、配信日時に関する配信条件を満たすことができなくなった場合に、配信情報を中継側記憶部３１から消去させてもよい。
【００５５】
［受信端末４の構成例］
続いて、受信端末４について説明を行う。受信端末４は携帯性を有しており、例えば、携帯電話機である。受信端末４は、受信側記憶部４１と、受信側通信部４２と、受信側制御部４３とを備える。
【００５６】
受信側記憶部４１は、中継側記憶部３１と同様の構成を備えており、受信端末４のユーザ属性情報を記憶する。受信側通信部４２は、中継側通信部３２と同様の構成を備えているため、説明を省略する。受信側制御部４３は、中継側制御部３３と同様に、ＣＰＵにより構成され、受信端末４の各部の制御を司る。受信側制御部４３は、端末制御部４３１及び属性情報生成部４３２を備える。
【００５７】
端末制御部４３１は、例えば、携帯端末３からユーザ属性情報及び受信端末４の識別情報を要求されたことに応じて、受信側記憶部４１に記憶されているユーザ属性情報及び受信端末４の識別情報を送信する。
【００５８】
また、端末制御部４３１は、携帯端末３から送信された配信情報を受信端末４のユーザに通知する。例えば、端末制御部４３１は、ディスプレイ（不図示）に対して配信情報を表示させることで、配信情報が配信されたことをユーザに通知する。なお、端末制御部４３１は、スピーカ（不図示）から配信情報に対応する音を出力させたり、バイブレーション機能により受信端末４を振動させたりして配信情報が配信されたことをユーザに通知してもよい。
【００５９】
また、端末制御部４３１は、受信した配信情報の識別情報を受信履歴情報として受信側記憶部４１に記憶させる。端末制御部４３１は、受信履歴情報を参照して、携帯端末３から受信した配信情報が既に受信されているか否かを判定する。端末制御部４３１は、受信した配信情報の識別情報が、受信側記憶部４１に記憶されている受信履歴情報に含まれていない場合、当該配信情報をユーザに通知する。
【００６０】
属性情報生成部４３２は、受信端末４のユーザ属性情報を生成する。例えば、属性情報生成部４３２は、ユーザから取得した性別、年齢、趣味といった情報に基づいて属性情報を生成する。属性情報生成部４３２は、受信端末４の位置情報を定期的に取得し、受信端末４のユーザが所定の時間以上にわたって滞在している位置と、当該位置に予め関連付けられている属性情報とに基づいて、ユーザが興味を持っている分野を認識し、ユーザが興味を抱いている情報を示す興味情報を属性情報として生成してもよい。
【００６１】
［情報配信システムＳの通信シーケンス］
図３は、第１の実施形態に係る情報配信システムＳにおいて、サーバ１が属性情報リストを記憶するまでの通信シーケンスの一例を示す図である。図４Ａは、第１の実施形態に係る情報配信システムＳにおいて、サーバ１から携帯端末３に配信情報が送信され、携帯端末３から受信端末４に配信情報が送信されるまでの通信シーケンスの一例を示す図である。図３及び図４Ａの説明では、携帯端末３として、携帯端末３Ａ及び３Ｂが存在し、受信端末４として、受信端末４Ａ−１、４Ａ−２、４Ｂ−１及び４Ｂ−２が存在するものとして説明を進める。
【００６２】
図３に示すように、まず、携帯端末３Ａ及び３Ｂのそれぞれが、複数の受信端末４に属性情報を要求するメッセージを同報送信する。複数の受信端末４は、当該メッセージを受信すると、当該メッセージを送信した携帯端末３Ａ及び３Ｂのいずれかに属性情報を送信する。携帯端末３Ａ及び３Ｂは、当該複数の受信端末４から属性情報を受信すると、受信した属性情報を受信端末４に対応づけて中継側記憶部３１に記憶するとともに、複数の受信端末４から受信した属性情報に基づいて属性情報リストを生成してサーバ１に送信する。サーバ１は、携帯端末３Ａ及び３Ｂのそれぞれから受信した属性情報リストを携帯端末３Ａ及び３Ｂのそれぞれに対応づけてサーバ側記憶部１１に記憶する。図３に示した処理は定期的に行われる。
【００６３】
続いて、図４Ａを参照して、配信情報を配信する通信シーケンスを説明する。サーバ１は、広告主から、配信情報及び配信指示情報を取得し、サーバ側記憶部１１に記憶させる。続いて、サーバ１は、配信情報の送信条件を満たすか否かを定期的に判定する。サーバ１は、送信条件を満たす場合に携帯端末３を選択する。携帯端末３Ａが選択されたとすると、サーバ１は、携帯端末３Ａに対して配信情報及び配信指示情報を送信する。携帯端末３Ａは、受信した配信情報及び配信指示情報を中継側記憶部３１に記憶させる。
【００６４】
続いて、携帯端末３Ａは、中継側記憶部３１に記憶されている配信指示情報が示す配信条件を満たすか否かを判定する。携帯端末３Ａは、配信条件を満たしている場合、受信した配信情報の属性情報及び中継側記憶部３１に記憶されている複数の受信端末４の属性情報に基づいて配信対象の受信端末４を選択する。受信端末４Ａ−１及び４Ａ−２が選択されたとすると、携帯端末３Ａは、受信端末４Ａ−１及び４Ａ−２に対して配信情報を配信する。携帯端末３は、配信条件を満たしていない場合、配信情報を中継側記憶部３１から消去する。
【００６５】
図４Ｂは、サーバ１から携帯端末３に配信情報が送信され、携帯端末３から受信端末４に配信情報が送信されるまでの通信シーケンスの他の例を示す図である。サーバ１は、広告主から配信情報及び配信指示情報を取得すると、基地局２を介して携帯端末３Ａ及び携帯端末３Ｂに送信する。サーバ１は、配信情報として、例えば、配信する候補となる複数の広告情報を送信し、配信指示情報として、受信端末４に配信する広告情報を選択するための基準及び配信タイミング等の配信条件を示す情報を送信する。広告情報を選択するための基準は、例えば、広告の属性、広告の属性と配信対象となる受信端末４の属性との間に必要な関連度である。配信タイミングを示す情報は、例えば、配信周期、配信時刻及び配信期限を示す情報である。
【００６６】
携帯端末３Ａ及び携帯端末３Ｂは、サーバ１から受信した配信情報及び配信指示情報を中継側記憶部３１に記憶し、配信条件及び属性情報リストに含まれる受信端末４の属性情報に基づいて、配信する広告情報、及び当該広告情報を配信する対象とする受信端末４を選択する。携帯端末３Ａ及び携帯端末３Ｂは、選択した広告情報を配信するタイミングになると、当該広告情報を配信する対象の受信端末４に対して、広告情報を配信する。携帯端末３Ａ及び携帯端末３Ｂは、例えば配信期限を過ぎた広告情報を中継側記憶部３１から消去する。
【００６７】
［第１の実施形態における効果］
以上のとおり、第１の実施形態に係る情報配信システムＳでは、携帯端末３の第１通信部３２１は、基地局２を介してサーバ１から配信情報を受信し、記憶制御部３３２は、当該受信した配信情報を中継側記憶部３１に記憶させる。次に、判定部３３３は、配信情報を受信端末４に配信するか否かを判定する。判定部３３３により配信情報を配信すると判定された場合、１以上の受信端末４と直接無線通信を行う第２通信部３２２に配信情報を無線で送信させることにより、配信部３３４は、１以上の受信端末４に配信情報を配信する。このようにすることで、情報配信システムＳは、基地局２と複数の受信端末４との間の無線通信回線のトラフィック量の増加を軽減しつつ、広告宣伝効果が高い受信端末４に対して広告情報を配信することができる。
【００６８】
携帯端末３の判定部３３３は、受信した配信指示情報の配信条件を満たしている場合に、配信情報を配信すると判定する。このようにすることで、携帯端末３は、配信情報を配信するのに適切な時間、場所において、適切な受信端末４に対して配信情報を配信することができる。
【００６９】
携帯端末３の記憶制御部３３２は、配信条件を満たさなくなった場合に、配信情報及び配信指示情報を中継側記憶部３１から消去させる。このようにすることで、携帯端末３は、不要となった情報を消去して中継側記憶部３１の記憶可能容量を増加させることができる。
【００７０】
携帯端末３の配信部３３４は、第２通信部３２２によって受信端末４から直接無線で受信したユーザ属性情報に基づいて、受信端末４の中から配信情報の配信対象となる端末を選択するので、広告主が広告を配信するターゲットとする受信端末４に対して効率的に配信情報を配信することができる。
【００７１】
サーバ１は、選択部１３１により、配信情報の属性と携帯端末３の属性とに基づいて、配信情報を送信する携帯端末３を選択し、サーバ側通信部１２により、選択された携帯端末３に対して配信情報を送信する。このようにすることで、サーバ１は、配信情報の属性に適した携帯端末３に対して配信情報を送信することができる。
【００７２】
サーバ１は、費用算出部１３２により、配信情報を配信する携帯端末３の位置及び配信情報の属性の少なくとも１つに基づいて、配信情報を配信する費用を算出する。このようにすることで、サーバ１は、例えば、当該費用を広告主に予め通知することで、配信情報の属性及び配信情報を配信する位置から予想される広告効果に応じた費用を広告主に把握させることができる。
【００７３】
サーバ１は、手数料付与部１３３により、携帯端末３のユーザへの情報配信手数料の支払処理を行う。このようにすることで、携帯端末３のユーザに広告情報を配信する意欲を与え、携帯端末３となる携帯端末を増加させることができる。
【００７４】
＜第２の実施形態＞
［隣接する携帯端末３に同じ配信情報を配信させる］
図５は、第２の実施形態に係る情報配信システムＳの概要図である。
第２の実施形態は、複数の携帯端末３の間で配信情報を送受信する点で、第１の実施形態と異なり、その他の点では同じである。本実施形態に係る情報配信システムＳにおいては、携帯端末３Ａが配信情報を配信できない受信端末４（例えば、受信端末４Ｂ−１及び４Ｂ−２）に対して、携帯端末３Ｂが配信情報を配信することができる。
【００７５】
以下に、複数の携帯端末３の処理について、携帯端末３Ａ及び３Ｂを用いて説明する。図６は、第２の実施形態に係る２台の携帯端末の機能構成図である。携帯端末３Ａ及び３Ｂは同一の構成を備えている。また、携帯端末３Ａ及び３Ｂは、互いに直接無線通信が可能であるものとする。図６では、携帯端末３Ａ及び３Ｂのそれぞれの構成部に異なる符号Ａ又はＢを付して説明する。
【００７６】
配信部３３４Ａは、判定部３３３Ａが配信情報を配信すると判定した場合、配信情報、配信指示情報及び配信実績情報を、受信端末４Ａ−１及び４Ａ−２に配信するとともに携帯端末３Ｂに送信する。
【００７７】
通信制御部３３１Ｂは、携帯端末３Ａから、配信情報、配信指示情報及び配信実績情報を受信する。続いて、記憶制御部３３２Ｂは、受信した配信情報、配信指示情報及び配信実績情報を、中継側記憶部３１Ｂに記憶させる。
【００７８】
判定部３３３Ｂは、受信端末４に配信情報を配信するか否かを判定する。すなわち、判定部３３３Ｂは、中継側記憶部３１Ｂに記憶されている配信指示情報を参照し、当該配信指示情報に対応する配信情報の配信条件を満たしているか否かを判定する。
【００７９】
配信部３３４Ｂは、判定部３３３Ｂが配信情報を配信すると判定した場合、当該配信情報を第２通信部３２２Ｂに送信させることにより、１以上の受信端末４に配信情報を配信する。ここで、配信部３３４Ｂは、受信端末４に対して一度送信した配信情報を再び配信しない。具体的には、配信部３３４Ｂは、第２通信部３２２Ｂにより、受信端末４に対して当該受信端末４の識別情報を要求し、当該受信端末４の識別情報を受信する。続いて、配信部３３４Ｂは、受信端末４に配信情報を配信する場合、中継側記憶部３１Ｂに記憶されている配信実績情報を参照し、当該配信情報が携帯端末３Ａによって当該受信端末４に対して既に送信されているか否かを判定する。そして、配信部３３４Ｂは、配信情報が送信されていない受信端末４を、配信情報を配信する受信端末４として選択する。
【００８０】
配信部３３４Ｂは、配信情報を配信したことに応じて、当該配信情報の識別情報と、受信端末４の識別情報とを関連付けて配信実績情報として中継側記憶部３１Ｂに記憶させる。続いて、配信部３３４Ｂは、携帯端末３Ａに対して、配信実績情報を送信する。
【００８１】
記憶制御部３３２Ａは、携帯端末３Ｂから、配信実績情報を受信する。続いて、記憶制御部３３２Ａは、中継側記憶部３１Ａに記憶されている配信実績情報と、受信した配信実績情報とをマージして中継側記憶部３１Ａに記憶させる。
【００８２】
［第２の実施形態における効果］
以上のとおり、第２の実施形態に係る情報配信システムＳによれば、複数の携帯端末３が配信情報の送受信を行う。このようにすることで、図５に示すように、携帯端末３Ａが配信情報を配信できない受信端末４に対して、携帯端末３Ｂが配信情報を配信できる。よって、第２の実施形態に係る情報配信システムＳは、１台の携帯端末３によって配信情報を配信する場合に比べて、配信エリアを増加させることができる。また、第２の実施形態に係る情報配信システムＳによれば、複数の携帯端末３は、配信実績情報の送受信を行い、配信実績情報を共有するので、１の受信端末４に対して複数の携帯端末３から同一の配信情報が配信されることを防止できる。
【００８３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、配信指示情報は、配信情報とともにサーバ１から送信されることとしたが、これに限らない。例えば、携帯端末３のユーザが配信指示情報を作成してもよい。また、本実施形態では、携帯端末３と受信端末４とを分けて説明したが、携帯端末３が受信端末４の機能を備えていてもよく、受信端末４が携帯端末３の機能を備えていてもよい。すなわち、受信端末４が、他の受信端末４に対して直接無線で配信情報を配信してもよい。また、本実施形態では、携帯端末３及び受信端末４が携帯電話機であるものとして説明したが、これに限らない。携帯端末３及び受信端末４として、携帯電話機の代わりに電話機能を備えていない携帯電子機器を用いてもよい。
【符号の説明】
【００８４】
１・・・サーバ、１１・・・サーバ側記憶部、１２・・・サーバ側通信部、１３・・・サーバ側制御部、１３１・・・選択部、１３２・・・費用算出部、１３３・・・手数料付与部、２・・・基地局、３・・・携帯端末、３１・・・中継側記憶部、３２・・・中継側通信部、３３・・・中継側制御部、３２１・・・第１通信部、３２２・・・第２通信部、３３１・・・通信制御部、３３２・・・記憶制御部、３３３・・・判定部、３３４・・・配信部、４・・・受信端末、４１・・・受信側記憶部、４２・・・受信側通信部、４３・・・受信側制御部、４３１・・・端末制御部、４３２・・・属性情報生成部、Ｓ・・・情報配信システム
【図１】
2014103569.tif 000003
【図２】
2014103569.tif 000004
【図３】
2014103569.tif 000005
【図４Ａ】
2014103569.tif 000006
【図４Ｂ】
2014103569.tif 000007
【図５】
2014103569.tif 000008
【図６】
2014103569.tif 000009